(57)【要約】【課題】処理製品を評価することによりその品質を明示し、あるいは、その品質を一定以上に維持管理可能な生ごみ処理装置およびこの生ごみ処理装置を使用した生ごみリサイクルシステムを提供すること。【解決手段】生ごみ処理装置４２は、処理槽５１と、攪拌棒５２およびモータ５３からなる攪拌機構と、ヒータ５４と、処理槽内５１の温度および凝固水の温度を測定する温度センサ６０と、処理槽５１内の湿度を測定する湿度センサ６１と、処理槽５１内および凝固水中において発生する各種の元素を測定する元素センサ６２、６３、６４、６５、６６、６７と、温度センサ６０、湿度センサ６１および各元素センサ６２、６３、６４、６５、６６、６７による測定値に基づいて処理槽５１内で処理された処理製品の品質を評価する品質評価ユニット５５と、装置全体を制御する制御部５６とを備える。【選択図】　　　　図２
2004025073.tif 000002
【特許請求の範囲】
【請求項１】
有機物としての生ごみを堆肥、飼料または燃料の原料として再利用可能な処理製品とするための生ごみ処理装置であって、
生ごみを収納する処理槽と、
前記処理槽内の生ごみを攪拌する攪拌機構と、
前記処理槽内の生ごみを加熱する加熱機構と、
前記処理槽内の温度を測定する温度センサと、
前記処理槽内において発生する元素を測定する元素センサと、
前記温度センサによる測定値および前記元素センサによる測定値に基づいて、前記処理槽内で処理された処理製品の品質を評価する品質評価ユニットと、
を備えたことを特徴とする生ごみ処理装置。
【請求項２】
請求項１に記載の生ごみ処理装置において、
前記元素センサは、アンモニア、硝酸塩、炭酸ガス、カリウム、カルシウム、カドミウム、鉛の少なくとも一つを検出する生ごみ処理装置。
【請求項３】
請求項１に記載の生ごみ処理装置において、
前記元素センサは、少なくとも炭素と窒素とを検出する生ごみ処理装置。
【請求項４】
請求項１乃至請求項３のいずれかに記載の生ごみ処理装置を使用することにより有機物としての生ごみを堆肥、飼料または燃料の原料として再利用可能な処理製品とし、この処理製品に係る情報をコンピュータシステムを利用したネットワークを介して提供する生ごみリサイクルシステムであって、
処理製品の需要者に対して、必要な処理製品の数量のデータおよび品質のデータを入力することを促す第１入力促進工程と、
処理製品の供給者に対して、前記生ごみ処理装置により処理された処理製品の数量のデータおよび前記生ごみ処理装置における品質評価ユニットにより評価された品質のデータを入力することを促す第２入力促進工程と、
処理製品の需要者が入力した必要な処理製品の数量のデータおよび品質のデータと、処理製品の供給者が入力した前記生ごみ処理装置により処理された処理製品の数量のデータおよび品質のデータとを比較する比較工程と、
前記比較工程において得た比較結果を処理製品の需要者および処理製品の供給者に対して提示する提示工程と、
を備えたことを特徴とする生ごみリサイクルシステム。
【請求項５】
請求項４に記載の生ごみリサイクルシステムにおいて、
前記処理製品の品質のデータの入力は、前記生ごみ処理装置から前記コンピュータシステム接続された処理製品の供給者の端末にデータを転送することにより実行される生ごみリサイクルシステム。
【発明の詳細な説明】
【０００１】
【発明の属する技術分野】
この発明は、有機物としての生ごみを堆肥、飼料または燃料の原料として再利用可能な処理製品とするための生ごみ処理装置、および、このゴミ処理装置を使用して作成した処理製品に係る情報をコンピュータシステムを利用したネットワークを介して提供する生ごみリサイクルシステムに関する。
【０００２】
【従来の技術】
近年、環境負荷や社会負荷を低減する観点から、生ごみのリサイクルが提唱されている。この生ごみのリサイクルは、有機物としての生ごみを、生ごみ処理装置により堆肥、飼料または燃料の原料として再利用可能な処理製品に再生することにより実行される。より具体的には、生ごみを堆肥化して農業の資材とし、また、生ごみを飼料化して畜産業の資材とし、あるいは、生ごみを利用してメタンガス等の燃料を生成することにより、生ごみのリサイクルを計らんとするものである。
【０００３】
また、特開２００２−２９８７３号や特開２００２−３４４３１０号には、インターネット等のコンピュータシステムを利用したネットワークを利用して廃棄食品のリサイクルを図る廃棄食品リサイクルシステムが提案されている。
【０００４】
【発明が解決しようとする課題】
上述した従来の生ごみのリサイクルシステムを有効かつ継続的に運用するためには、堆肥、飼料または燃料の原料として再利用可能な処理製品の品質が明示され、または、一定以上に維持管理される必要がある。しかしながら、従来の生ごみのリサイクルシステムにおいては、処理製品の品質を明示し、維持管理するシステムが構築されていないのが実情である。
【０００５】
この発明は上記課題を解決するためになされたものであり、処理製品を評価することによりその品質を明示し、あるいは、その品質を一定以上に維持管理可能な生ごみ処理装置およびこの生ごみ処理装置を使用した生ごみリサイクルシステムを提供することを目的とする。
【０００６】
【課題を解決するための手段】
請求項１に記載の発明は、有機物としての生ごみを堆肥、飼料または燃料の原料として再利用可能な処理製品とするための生ごみ処理装置であって、生ごみを収納する処理槽と、前記処理槽内の生ごみを攪拌する攪拌機構と、前記処理槽内の生ごみを加熱する加熱機構と、前記処理槽内の温度を測定する温度センサと、前記処理槽の内において発生する元素を測定する元素センサと、前記温度センサによる測定値および前記元素センサによる測定値に基づいて、前記処理槽内で処理された処理製品の品質を評価する品質評価ユニットとを備えたことを特徴とする。
【０００７】
請求項２に記載の発明は、請求項１に記載の生ごみ処理装置において、前記元素センサは、アンモニア、硝酸塩、炭酸ガス、カリウム、カルシウム、カドミウム、鉛の少なくとも一つを検出する。
【０００８】
請求項３に記載の発明は、請求項１に記載の生ごみ処理装置において、前記元素センサは、少なくとも炭素と窒素とを検出する。
【０００９】
請求項４に記載の発明は、請求項１乃至請求項３のいずれかに記載の生ごみ処理装置を使用することにより有機物としての生ごみを堆肥、飼料または燃料の原料として再利用可能な処理製品とし、この処理製品に係る情報をコンピュータシステムを利用したネットワークを介して提供する生ごみリサイクルシステムであって、処理製品の需要者に対して、必要な処理製品の数量のデータおよび品質のデータを入力することを促す第１入力促進工程と、処理製品の供給者に対して、前記生ごみ処理装置により処理された処理製品の数量のデータおよび前記生ごみ処理装置における品質評価ユニットにより評価された品質のデータを入力することを促す第２入力促進工程と、処理製品の需要者が入力した必要な処理製品の数量のデータおよび品質のデータと、処理製品の供給者が入力した前記生ごみ処理装置により処理された処理製品の数量のデータおよび品質のデータとを比較する比較工程と、前記比較工程において得た比較結果を処理製品の需要者および処理製品の供給者に対して提示する提示工程とを備えたことを特徴とする。
【００１０】
請求項５に記載の発明は、請求項４に記載の生ごみリサイクルシステムにおいて、前記処理製品の品質のデータの入力は、前記生ごみ処理装置から前記コンピュータシステム接続された処理製品の供給者の端末にデータを転送することにより実行される。
【００１１】
【発明の実施の形態】
以下、この発明の実施の形態を図面に基づいて説明する。
【００１２】
この生ごみリサイクルシステムは、有機物としての生ごみを堆肥、飼料または燃料の原料として再利用可能な処理製品１０１とし、この処理製品１０１に係る情報をコンピュータシステムを利用したネットワークを介して提供するためのものである。そして、このリサイクルシステムにおいては、堆肥、飼料または燃料の原料として再利用可能な処理製品１０１の取引時に、その処理製品１０１の品質を一つの取引要件とする。このとき、処理製品１０１の品質は、この発明に係る生ごみ処理装置４２、４３により評価される。
【００１３】
先ず、この発明に係る生ごみ処理装置を使用した生ごみリサイクルシステムの全体構成について説明し、この発明に係る生ごみ処理装置４２、４３については後程詳細に説明する。図１は、この発明に係る生ごみ処理装置４２、４３を使用した生ごみリサイクルシステムの全体構成図である。
【００１４】
この生ごみリサイクルシステムは、システム管理者１０のシステム管理サーバ１１と、処理製品１０１の需要者２０の端末２１と、処理製品１０１の供給者４０の端末４１と、生ごみ処理装置の製造者（メーカ）３０の端末３１とを、インターネット等のネットワーク１００を介して接続した構成を有する。
【００１５】
ここで、処理製品１０１の需要者２０は、例えば、堆肥、飼料または燃料等を必要とする農業者や畜産業者である。また、処理製品１０１の供給者４０は、例えば、生ごみを発生させる一般家庭や飲食店である。なお、処理製品１０１の需要者２０の端末２１、処理製品１０１の供給者４０の端末４１および生ごみ処理装置の製造者３０の端末３１とは、いわゆるパソコン等のコンピュータのみならず携帯電話等を含む概念である。
【００１６】
この生ごみリサイクルシステムにおいては、システム管理者１０は、先ず、処理製品１０１の需要者２０に対して、必要な処理製品１０１の数量のデータおよび品質のデータを含むデータを入力することを促す。より具体的には、システム管理者１０のシステム管理サーバ１１から、ネットワーク１００を介することにより、処理製品１０１の需要者２０の端末２１の表示部に、必要な処理製品１０１の数量のデータおよび品質のデータの入力画面を表示する。なお、この入力画面の表示は、処理製品の需要者２０がその端末２１を利用してシステム管理者１０のシステム管理サーバ１１にアクセスしたときに実行される。
【００１７】
これに対して、処理製品１０１の需要者２０は、必要な処理製品１０１の数量のデータと品質のデータを、希望納期、希望価格、受入場所および処理製品１０１の需要者自身のデータ共に入力する。入力された必要な処理製品１０１の数量のデータおよび品質のデータを含むデータは、製品需要情報Ｃとして、ネットワーク１００を介してシステム管理者１０のシステム管理サーバ１１に転送される。
【００１８】
ここで、上述した処理製品１０１の品質のデータは、例えば、処理製品１０１が堆肥の原料である場合には、炭素の含有量、カリウムの含有量、カルシウムの含有量およびカドミウムや鉛等の有害物質の含有量等を含むデータであり、処理製品１０１が飼料の原料である場合には、その水分含有量、高タンパクであるか高エネルギであるかの区分、カルシウムの含有量およびカドミウムや鉛等の有害物質の含有量等を含むデータである。
【００１９】
システム管理者１０は、処理製品１０１の需要者２０から得た製品需要情報Ｃや後述する比較工程で得たデータ等に基づいて処理製品１０１の相場リストＡを作成し、この相場リストＡをネットワーク１００を介して公開する。さらに、システム管理者１０は、各種の品質を有する処理製品１０１を作成するための推奨献立やそのときの生ごみ処理装置４２、４３による処理の仕方マニュアルを推奨データＱとして作成し、これを相場リストＡとともにネットワーク１００を介して公開する。
【００２０】
そして、システム管理者１０は、処理製品１０１の供給者４０に対して、後述する生ごみ処理装置４２、４３により処理された処理製品１０１の数量のデータおよび後述する生ごみ処理装置４２、４３における品質評価ユニット５５、８５により評価された品質のデータを入力することを促す。より具体的には、システム管理者１０のシステム管理サーバ１１から、ネットワーク１００を介することにより、処理製品１０１の供給者４０の端末４１の表示部に、必要な処理製品１０１の数量のデータおよび品質のデータの入力画面を表示する。なお、この入力画面の表示は、処理製品の供給者４０がその端末４１を利用してシステム管理者１０のシステム管理サーバ１１にアクセスしたときに実行される。
【００２１】
一方、処理製品１０１の供給者４０は、システム管理者１０により公開された処理製品１０１の相場リストＡや推奨データＱを参照して献立等を決定する。そして、それにより生じた生ごみを後述する生ごみ処理装置４２、４３により処理する。
【００２２】
生ごみの処理時には、生ごみ処理装置４２、４３は、必要とされる処理製品１０１の品質に応じた条件で生ごみを処理する。このときには、生ごみ処理装置４２、４３は、制御プログラムＦにより制御される。また、生ごみ処理装置４２、４３による生ごみ処理工程においては、生ごみ処理装置４２、４３により処理製品１０１の品質が評価される。この品質の評価は、評価基準Ｅに基づいて行われる。
【００２３】
上述した制御プログラムＦおよび評価基準Ｅは、生ごみ処理装置４２、４３の製造者３０が作成する。これらの制御プログラムＦおよび評価基準Ｅは、生ごみ処理装置４２、４３におけるメモリー内に予め格納されている。
【００２４】
なお、生ごみ処理装置４２、４３の製造者３０は、これらの制御プログラムＦおよび評価基準Ｅを随時更新する。更新された制御プログラムＦおよび評価基準Ｅは、生ごみ処理装置４２、４３の製造者３０の端末３１から、ネットワーク１００を介してシステム管理者１０のシステム管理サーバ１１に転送される。システム管理者１０は、更新された制御プログラムＦおよび評価基準Ｅを、ネットワーク１００を介して公開する。処理製品の供給者４０は、その端末４１を介して更新された制御プログラムＦおよび評価基準Ｅを生ごみ処理装置４２、４３内に随時取り込み、そのバージョンアップを行う。
【００２５】
発生した生ごみを利用して処理製品１０１を製造した処理製品の供給者４０は、相場リストＡを参考にし、自己の経済的価値判断に基づき応札価格を決定する。そして、処理製品の供給者４０は、システム管理者１０により提供された入力画面を利用し、処理製品１０１の数量のデータと生ごみ処理装置４２、４３により評価された処理製品１０１の品質のデータとを、処理日時、応札価格、提供場所および処理製品１０１の供給者４０自身のデータと共に入力する。入力された処理製品１０１の数量のデータおよび品質のデータを含むデータは、製品供給情報Ｂとして、処理製品１０１の供給者４０の端末４１からネットワーク１００を介してシステム管理者１０のシステム管理サーバ１１に転送される。
【００２６】
なお、後述するように、処理製品１０１の品質のデータは、生ごみ処理装置４２、４３から処理製品１０１の供給者４０の端末４１に転送される。
【００２７】
システム管理者１０は、システム管理サーバ１１の比較手段１２を使用し、処理製品１０１の需要者２０が入力した必要な処理製品の数量のデータおよび品質のデータを含む製品需要情報Ｃと、処理製品１０１の供給者４０が入力した生ごみ処理装置４２、４３により処理された処理製品１０１の数量のデータおよび品質のデータを含む製品供給情報Ｂとを比較することによりマッチングを行う。
【００２８】
なお、このマッチング時には、環境負荷係数Ｎが考慮される。この環境負荷係数Ｎは、処理製品１０１が処理製品１０１の供給者４０から処理製品１０１の需要者２０に提供されるまでの間に、地球環境に負荷される条件に対応した係数である。例えば、処理製品１０１の需要者２０と処理製品１０１の供給者４０が遠隔地に設置されており、それらの間を処理製品１０１が搬送される間に、運送に伴う温室効果ガスが大量に発生する場合には、その要素が係数化され応札価格に負荷される。
【００２９】
上記比較工程におけるマッチング後のデータは、マッチングリストＤとしてシステム管理サーバ１１に蓄積される。システム管理者１０は、このマッチングリストＤから、処理製品１０１の需要者２０への情報Ｌおよび処理製品１０１の供給者４０への情報Ｍを作成する。そして、処理製品１０１の需要者２０への情報Ｌはネットワーク１００を介して処理製品１０１の需要者２０の端末２１に送信され、処理製品１０１の供給者４０への情報Ｍはネットワーク１００を介して処理製品１０１の供給者４０の端末４１に送信される。
【００３０】
処理製品１０１の需要者２０への情報Ｌを受信した処理製品１０１の需要者２０は、処理製品１０１の供給者４０への情報Ｍを受信した処理製品１０１の供給者４０の元に処理製品１０１を受け取りに行く。なお、処理製品１０１の需要者２０への情報Ｌおよび処理製品１０１の供給者４０への情報Ｍを運送業者にも送信し、処理製品１０１の流通をこの運送業者に委託するようにしてもよい。
【００３１】
次に、この発明に係る生ごみ処理装置の構成について説明する。図２は、この発明の第１実施形態に係る生ごみ処理装置４２の概要図である。
【００３２】
この第１実施形態に係る生ごみ処理装置４２は、真空乾燥方式により生ごみを処理するものであり、生ごみを収納する処理槽５１と、処理槽内５１の生ごみを攪拌する羽根を備えた攪拌棒５２およびこの攪拌棒５２を回転させるモータ５３からなる攪拌機構と、処理槽内５１の生ごみを加熱するヒータ５４と、処理槽５１内の温度および凝固水の温度を測定する温度センサ６０と、処理槽５１内の湿度を測定する湿度センサ６１と、処理槽５１内および凝固水中において発生する各種の元素を測定する元素センサ６２、６３、６４、６５、６６、６７とを備える。
【００３３】
これらの元素センサ元素センサ６２、６３、６４、６５、６６、６７のうち、元素センサ６２は窒素を検出するための窒素センサとして機能するアンモニアセンサまたは硝酸塩センサから構成され、元素センサ６３は炭素を検出するための炭素センサとして機能する炭酸ガスセンサから構成され、元素センサ６４はカリウムを検出するためのカリウムセンサから構成され、元素センサ６５はその他の栄養素を検出するための栄養素センサとして機能するカルシウムセンサから構成され、元素センサ６６は有害物質としてのカドミウムを検出するカドミウムセンサから構成され、元素センサ６７は有害物質としての鉛を検出するための鉛センサから構成される。
【００３４】
また、この生ごみ処理装置４２は、処理槽５１内を減圧するための真空ポンプ５７と、真空ポンプ５７による減圧作用により生ごみから発生する水蒸気を凝縮させるためのコンデンサ５８および冷却ファン５９よりなる冷却機構と、この冷却機構の作用により発生した凝固水を貯留するための凝固水タンク７３と、水分が除去された気体を脱臭して外部に排出するための消臭槽７１と、電磁弁７２、７４とを備える。
【００３５】
さらに、この生ごみ処理装置４２は、温度センサ６０、湿度センサ６１および各元素センサ６２、６３、６４、６５、６６、６７による測定値に基づいて処理槽５１内で処理された処理製品の品質を評価する品質評価ユニット５５と、装置全体を制御する制御部５６とを備える。品質評価ユニット５５には上述した評価基準Ｅが供給され、制御部５６には上述した制御プログラムＦが供給される。なお、制御部５６は、処理製品１０１の供給者４０の端末４１と、オンラインまたはオフラインで接続されている。
【００３６】
このような構成を有する生ごみ処理装置４２においては、処理製品１０１の供給者４０が、最終的な処理製品１０１に対応した生ごみを処理槽５１内に収納する。処理槽５１内に収納された生ごみは、減圧状態で攪拌棒５２により攪拌粉砕されるとともに、ヒータ５４により加熱される。このときの攪拌速度や温度、あるいは処理時間等は、必要とされる処理製品に対応した条件となるように制御プログラムＦにより制御される。
【００３７】
減圧状態で攪拌粉砕され、加熱された生ごみからは水蒸気が発生する。この水蒸気は、コンデンサ５８を通過する際に、気液分離される。水蒸気から発生した凝固水は、凝固水タンク７３に貯留される。一方、気体成分は、消臭槽７１において消臭された後、大気解放される。そして、脱水後の生ごみは、粉末状の有機物からなる処理製品１０１となって処理が完了する。
【００３８】
この生ごみの処理過程においては、処理槽５１内および凝固水の温度、処理槽５１内の湿度および処理槽５１内および凝固水中で発生する各種の元素が、温度センサ６０、湿度センサ６１および各元素センサ６２、６３、６４、６５、６６、６７により、常に測定される。制御部５６は、これらの温度センサ６０、湿度センサ６１および各元素センサ６２、６３、６４、６５、６６、６７の測定値に基づいて、上述したモータ５３、ヒータ５４、真空ポンプ５７等を制御する。また、品質評価ユニット５５は、温度センサ６０、湿度センサ６１および各元素センサ６２、６３、６４、６５、６６、６７の経時的な測定値に基づいて、処理製品１０１の品質を評価する。この評価時には、評価基準Ｅが使用される。
【００３９】
この評価は、例えば、処理製品１０１が堆肥の原料である場合には、炭素率の高低、カリウムの高低、カルシウムの高低、有害物質の有無等に基づいて判断される。また、処理製品が飼料の原料である場合には、その乾燥度、タンパクの高低、エネルギー量の高低、カルシウムの高低、有害物質の有無等に基づいて判断される。
【００４０】
品質評価ユニット５５により評価された処理製品の品質は、処理製品情報Ｇとして、制御部５６を介して処理製品１０１の供給者４０の端末４１に転送される。そして、この処理製品情報Ｇは、上述したように、処理製品１０１の数量のデータや処理日時、応札価格、提供場所および処理製品１０１の供給者４０自身のデータと共に、製品供給情報Ｂとして、処理製品１０１の供給者４０の端末４１からネットワーク１００を介してシステム管理者１０のシステム管理サーバ１１に転送される。
【００４１】
次に、この発明に係る生ごみ処理装置の他の実施形態について説明する。図３は、この発明の第２実施形態に係る生ごみ処理装置４３の概要図である。
【００４２】
この第２実施形態に係る生ごみ処理装置４３は、微生物分解方式により生ごみを処理するものであり、生ごみを収納する処理槽８１と、処理槽８１内の生ごみを攪拌する羽根を備えた攪拌棒８２およびこの攪拌棒８２を回転させるモータ８３からなる攪拌機構と、処理槽８１内の生ごみを加熱するヒータ８４と、処理槽８１内の温度を測定する温度センサ６０と、処理槽８１内の湿度を測定する湿度センサ６１と、処理槽８１内において発生する各種の元素を測定する元素センサ６２、６３、６４、６５、６６、６７とを備える。
【００４３】
上述した第１実施形態と同様、これらの元素センサ６２、６３、６４、６５、６６、６７のうち、元素センサ６２は窒素を検出するための窒素センサとして機能するアンモニアセンサまたは硝酸塩センサから構成され、元素センサ６３は炭素を検出するための炭素センサとして機能する炭酸ガスセンサから構成され、元素センサ６４はカリウムを検出するためのカリウムセンサから構成され、元素センサ６５はその他の栄養素を検出するための栄養素センサとして機能するカルシウムセンサから構成され、元素センサ６６は有害物質としてのカドミウムを検出するカドミウムセンサから構成され、元素センサ６７は有害物質としての鉛を検出するための鉛センサから構成される。
【００４４】
また、この生ごみ処理装置４３は、処理槽８１内に外気を取り込むための吸気ファン９１と、排気ファン９４と、ヒータ９３を備えた脱臭触媒９２とを備える。
【００４５】
さらに、この生ごみ処理装置４３は、第１実施形態に係る生ごみ処理装置４２と同様、温度センサ６０、湿度センサ６１および各元素センサ６２、６３、６４、６５、６６、６７による測定値に基づいて処理槽８１内で処理された処理製品の品質を評価する品質評価ユニット８５と、装置全体を制御する制御部８６とを備える。品質評価ユニット８５には上述した評価基準Ｅが供給され、制御部８６には上述した制御プログラムＦが供給される。なお、制御部８６は、処理製品１０１の供給者４０の端末４１と、オンラインまたはオフラインで接続されている。
【００４６】
このような構成を有する生ごみ処理装置４３においては、処理製品１０１の供給者４０が、最終的な処理製品１０１に対応した生ごみを、微生物を棲まわせた床材であるバイオチップ９５とともに処理槽８１内に収納する。処理槽８１内に収納された生ごみおよびバイオチップ９５は、攪拌棒８２により攪拌粉砕されるとともに、ヒータ８４により加熱される。このときの攪拌速度や温度、あるいは処理時間等は、必要とされる処理製品に対応した条件となるように制御プログラムＦにより制御される。
【００４７】
吸気ファン９１により取り込まれた外気とともに攪拌粉砕され、加熱された生ごみは、バイオチップ９５内の微生物の作用により発酵されて処理製品１０１となる。発酵に伴って生じる臭い成分を含む空気は、排気ファン９４により吸引され、脱臭触媒９２を通過する際に消臭された後に、大気解放される。
【００４８】
この生ごみの処理過程においては、第１実施形態に係る生ごみ処理装置４２の場合と同様、処理槽８１内の温度、処理槽８１内の湿度および処理槽８１内で発生する各種の元素が、温度センサ６０、湿度センサ６１および各元素センサ６２、６３、６４、６５、６６、６７により、常に測定される。制御部８６は、これらの温度センサ６０、湿度センサ６１および各元素センサ６２、６３、６４、６５、６６、６７の測定値に基づいて、上述したモータ８３、ヒータ８４等を制御する。また、品質評価ユニット８５は、温度センサ６０、湿度センサ６１および各元素センサ６２、６３、６４、６５、６６、６７の経時的な測定値に基づいて、処理製品１０１の品質を評価する。この評価時には、評価基準Ｅが使用される。
【００４９】
品質評価ユニット８５により評価された処理製品の品質は、処理製品情報Ｇとして、制御部８６を介して処理製品１０１の供給者４０の端末４１に転送される。そして、この処理製品情報Ｇは、上述したように、処理製品１０１の数量のデータや処理日時、応札価格、提供場所および処理製品１０１の供給者４０自身のデータと共に、製品供給情報Ｂとして、処理製品１０１の供給者４０の端末４１からネットワーク１００を介してシステム管理者１０のシステム管理サーバ１１に転送される。
【００５０】
なお、上述した実施形態においては、元素センサ６２、６３、６４、６５、６６、６７によりアンモニア、硝酸塩、炭酸ガス、カリウム、カルシウム、カドミウムおよび鉛を検出するようにしている、しかしながら、これらの一部を省略し、あるいは、その他のセンサを付加してもよい。但し、処理製品１０１として堆肥や飼料の原料を製造する場合においては、少なくとも、炭素と窒素とを検出しうる構成とすることが好ましい。
【００５１】
【発明の効果】
請求項１および請求項２に記載の発明によれば、処理槽内の温度を測定する温度センサと、処理槽の内において発生する元素を測定する元素センサと、温度センサによる測定値および元素センサによる測定値に基づいて処理槽内で処理された処理製品の品質を評価する品質評価ユニットとを備えることから、処理製品を評価することによりその品質を明示し、あるいは、その品質を一定以上に維持管理することが可能となる。
【００５２】
請求項３に記載の発明によれば、元素センサが少なくとも炭素と窒素とを検出することから、処理製品として堆肥や飼料の原料を製造する場合に、その品質を好適に評価することが可能となる。
【００５３】
請求項４および請求項５に記載の発明によれば、請求項１乃至請求項３のいずれかに記載の生ごみ処理装置を使用して、生ごみリサイクルシステムを有効かつ継続的に運用することが可能となる。
【図面の簡単な説明】
【図１】この発明に係る生ごみ処理装置４２、４３を使用した生ごみリサイクルシステムの全体構成図である。
【図２】この発明の第１実施形態に係る生ごみ処理装置４２の概要図である。
【図３】この発明の第２実施形態に係る生ごみ処理装置４３の概要図である。
【符号の説明】
１０　　　システム管理者
１１　　　システム管理サーバ
２０　　　処理製品１０１の需要者
２１　　　端末
３０　　　　　　生ごみ処理装置の製造者
３１　　　端末
４０　　　処理製品の供給者
４１　　　端末
４２　　　生ごみ処理装置
４３　　　生ごみ処理装置
５１　　　処理槽
５２　　　攪拌棒
５３　　　モータ
５４　　　ヒータ
５５　　　品質評価ユニット
５６　　　制御部
６０　　　温度センサ
６１　　　湿度センサ
６２　　　　　　元素センサ
６３　　　　　　元素センサ
６４　　　　　　元素センサ
６５　　　　　　元素センサ
６６　　　　　　元素センサ
６７　　　　　　元素センサ
８１　　　処理槽
８２　　　攪拌棒
８３　　　モータ
８４　　　ヒータ
８５　　　品質評価ユニット
８６　　　制御部
１００　　ネットワーク
１０１　　処理製品
Ａ　　　　　　　　相場リスト
Ｂ　　　　　　　　製品供給情報
Ｃ　　　　　　　　製品需要情報
Ｄ　　　　　　　　マッチングリスト
Ｅ　　　　　　　　評価基準
Ｆ　　　　　　　　制御プログラム
Ｇ　　　　　　　　処理製品情報
Ｌ　　　　　　　　処理製品１０１の需要者２０への情報
Ｍ　　　　　　　　処理製品１０１の供給者４０への情報
Ｎ　　　　　　　　環境負荷係数
Ｑ　　　　　　　　推奨データ
【図１】
2004025073.tif 000003
【図２】
2004025073.tif 000004
【図３】
2004025073.tif 000005